(57)【要約】【課題】地面に接触させることなく巻取ることのできる消防ホース巻取機を提供する。【解決手段】ベース枠台１の前方部左右両サイドに大車輪２，２を設け、後方部左右両サイドに小車輪３，３を設けて、ベース枠台１の上方に僅かに後方へ倒すように引張調整部材４ａで引張って斜めに支柱４を設けると共に上端部に手押しハンドル５，５を設けた手押し台車形のホース巻取機であって、ホースを巻取るための巻取リール６が、前方への移動による前記大車輪２，２の回転により回転駆動されてホースを巻取るように構成された消防ホース巻取機である。大車輪２，２の車軸７に取り付けられた駆動プーリー８からベルト１０により回転伝達される従動プーリー９にクラッチ１７を介在させて巻初めのホースの食い付きを良くするためのホース巻取りが可能な手回しハンドル１６も備える。【選択図】図１
0003125700.tif 000002
【実用新案登録請求の範囲】
【請求項１】
ベース枠台の前方部左右両サイドに大車輪を設け、後方部左右両サイドに小車輪を設けて、ベース枠台の上方に僅かに後方へ倒すように引張調整部材で引張って斜めに支柱を設けると共に上端部に手押しハンドルを設けた手押し台車形のホース巻取機であって、ホースを巻取るための巻取リールが、前記大車輪の回転により回転駆動されてホースを巻取るように構成されてなることを特徴とする消防ホース巻取機。
【請求項２】
ベース枠台の上方に僅かに後方へ倒すように引張調整部材で引張って斜めに設けられた支柱に軸受ブロックを設け、該軸受ブロックにより巻取リールを取付けた軸を回転自在に軸支して、該軸に従動プーリーを取付け、ベース枠台の前方部左右両サイドに設けた大車輪の車軸に駆動プーリーを取付けて、該駆動プーリーと前記従動プーリーとにベルトを掛けて大車輪の回転により巻取リールを回転駆動させるように構成されてなることを特徴とする請求項１記載の消防ホース巻取機。
【請求項３】
ホースを巻取るための巻取リールが、手押しハンドルを押して前方へ移動させる時の大車輪の回転のみにより伝達されるクラッチを介して回転駆動されるように構成されてなることを特徴とする請求項１又は請求項２記載の消防ホース巻取機。
【請求項４】
巻取リールを取付けた軸の別端に手回しハンドルを取付け、手回しハンドルと巻取リールとの間に、手押しハンドルを押して前方へ移動させる時の大車輪の回転のみにより伝達されるクラッチを介在させて従動プーリーが取付けられてなることを特徴とする請求項１〜請求項３のいずれか１項に記載の消防ホース巻取機。
【考案の詳細な説明】
【技術分野】
【０００１】
本考案は、放水済みの消防ホースを手押し台車で押しながら自動的に巻取ることのできる消防ホース巻取機に関するものである。
【背景技術】
【０００２】
放水済みの消防ホースは、道具を使用しないで巻取る場合、地面上で転がして巻取るやり方が行なわれているが、放水済の消防ホースは残水が含まれて重く、その巻取りにおいては中腰で行うため多大の労力を要するほか、地面で擦れたり、塵埃等が付着するなどの問題がある。
【０００３】
労力を軽減するために種々、巻取り道具が開発されており、該巻取り道具は、地面を移動しながら消防ホースを巻取る移動式のものと、地面に据え付けて巻取る定置式のものがあり、移動式のものとしては、例えば地面上を一方向のみに回転する円筒体（巻取りドラム）と、円筒体を支持するための操作用ハンドルからなる消防用ホース巻取り装置（特許文献１参照）や、略逆Ｕ字形を呈するフレームの下端部に車軸を固定し、フレームの外側面より突設された車軸端部に移動用車輪を装着した手押し車形消防用ホースの巻取り装置であって、車軸上に回転自在に嵌合されたガイドローラーと、ホースの巾より広い間隔をおいて対向する縦フレーム部分に個々に固定された支持台と、これら支持台に回転自在で且つ着脱自在に支持された巻取りハンドルと巻取り金具とを備えた消防用ホースの巻取り装置（特許文献２参照）が開示されている。
【０００４】
又、定置式のものとして台座上に揺動軸を介して揺動座を軸支するとともに、揺動座を揺動軸の水平軸心廻りに回動自在に設け、揺動座の前部及び後部のそれぞれにホースを案内する左右一対のガイド部を設け、台座と揺動座の間にスプリングを介装して揺動座を前側が下方に傾斜するように付勢し、台座の後部に巻取軸支持架台を立設し、巻取軸支持架台にホースを巻き取る巻取具を着脱自在に装着してなる消防用ホースの巻取装置（特許文献３参照）が開示されている。
【０００５】
【特許文献１】特開２００５−１２６１５２号公報
【特許文献２】特開平６−１７１８３５号公報
【特許文献３】特開平８−１１７３５５号公報
【考案の開示】
【考案が解決しようとする課題】
【０００６】
しかしながら、上記特許文献１に記載される消防用ホース巻取り装置は、操作用ハンドルを押して円筒体（巻取りドラム）を地面上で転がしながらホースを巻取るから、巻取り道具を使用しないのに較べて労力は軽減されるが、ホースへの塵埃の付着や傷がつきやすいことへの解決にはならず、特許文献２に記載される消防用ホースの巻取り装置は、手押しハンドル部を押しながら巻取りハンドルを回して巻取らなければならない二重の作業を同時に行なわなければならない問題があり、特許文献３に記載される消防用ホースの巻取り装置は、巻取るに従ってホースが地面上を移動するから、ホースが地面で擦れたり、塵埃等が付着したりする問題がある。本考案は、これらの問題に鑑みてなされた消防ホース巻取機を提供することを目的とし、該目的を達成することを課題とする。
【課題を解決するための手段】
【０００７】
上記目的を達成するために、本考案は以下に記載するような手段を講じてなる消防ホース巻取機、すなわち、ベース枠台の前方部左右両サイドに大車輪を設け、後方部左右両サイドに小車輪を設けて、ベース枠台の上方に僅かに後方へ倒すように引張調整部材で引張って斜めに支柱を設けると共に上端部に手押しハンドルを設けた手押し台車形のホース巻取機であって、ホースを巻取るための巻取リールが、前記大車輪の回転により回転駆動されてホースを巻取るように構成されてなることを特徴とする消防ホース巻取機である。
【０００８】
ベース枠台の上方に僅かに後方へ倒すように引張調整部材で引張って斜めに設けられた支柱には軸受ブロックを設け、該軸受ブロックにより巻取リールを取付けた軸を回転自在に軸支して、該軸に従動プーリーを取付け、ベース枠台の前方部左右両サイドに設けた大車輪の車軸に駆動プーリーを取付けて、該駆動プーリーと前記従動プーリーとにベルトを掛けて大車輪の回転により巻取リールを回転駆動させる構成にした。
【０００９】
ホースを巻取るための巻取リールは、手押しハンドルを押して前方へ移動させる時の大車輪の回転のみにより伝達されるクラッチを介して回転駆動されるように構成し、手押しハンドルを引いて後方へ移動させる時の大車輪の回転は伝達されないようにした。
【００１０】
又、巻取リールを取付けた軸の別端に手回しハンドルを取付け、手回しハンドルと巻取リールとの間に、手押しハンドルを押して前方へ移動させる時の大車輪の回転のみにより伝達されるクラッチを介在させて従動プーリーを取付けることにより、手押しハンドルを引いて後方へ移動させる時の大車輪の回転が巻取リールに伝達されないようにすると共に、巻取リールへのホースの巻初めにおける食い付きを良くするための手回しハンドルによる巻取りができるようにした。
【考案の効果】
【００１１】
上記手段にて記載するように本考案は、ベース枠台の前方部左右両サイドに大車輪を設け、後方部左右両サイドに小車輪を設けて、ベース枠台の上方に僅かに後方へ倒すように引張調整部材で引張って、斜めに支柱を設けると共に上端部に手押しハンドルを設けた手押し台車形のホース巻取機であって、ホースを巻取るための巻取リールが、前記大車輪の回転により回転駆動されてホースを巻取るように構成された消防ホース巻取機であり、手押しハンドルを押して前方へ移動させるだけで自然にホースが巻取られ、巻取りに要する労力を大幅に軽減できる。
【００１２】
又、前方へ移動させながら巻取るから、ホースの巻取端を一定の高さに保持して巻取れば、ホースが地面に接触することなく巻取れて、地面で擦れたり、塵埃等が付着したりすることなく巻取ることができる。
【００１３】
ベース枠台の前後左右四箇所に車輪を配した手押し台車形であるから、安定した状態で前方へ移動させながらホースの巻取りができる。
【考案を実施するための最良の形態】
【００１４】
本考案を実施するための最良の形態を、以下実施例を示す図面に基づいて詳細に説明する。
【実施例１】
【００１５】
図１は、本考案の実施例を示す斜視図である。図示するように本考案は、ベース枠台１の前方部左右両サイドに大車輪２，２を設け、後方部左右両サイドに小車輪３，３を設けて、ベース枠台１の上方に僅かに後方へ倒すように引張調整部材４ａで引張り、斜めに支柱４を設けると共に上端部に手押しハンドル５，５を設けた手押し台車形のホース巻取機となっており、ホースを巻取るための巻取リール６が、前記大車輪２，２の回転により回転駆動されるべく、大車輪２，２の車軸７に取付けられた駆動プーリー８と、前記巻取リール６と同軸に取付けられた従動プーリー９とにベルト１０が掛けられて張設されている。駆動プーリー８を取付けるから前方部は大車輪２，２にしてある。
なお、大車輪２，２の回転を巻取リール６に伝達する手段は種々考えられ、本実施例にて示すような手段に必ずしも限定されるものではない。
【００１６】
ベース枠台１の上方に僅かに後方へ倒すように引張調整部材４ａで引張ってベルト１０が適度に張られた状態で、支柱４の下端部が軸ボルト１１とナット１１ａで固定されると共に補強板１２で支持されて、支柱４は斜めの状態に固定されている。支柱４を後方へ斜めに倒すことにより、その上端部に設けられた手押しハンドル５，５を前方へ押すのに重心が安定して押しやすくする。
【００１７】
上記のようにしてベース枠台１の上方に設けられた支柱４には、軸受ブロック１３が設けられ、該軸受ブロックは、支柱４の前面に取付けられて、図２に示すように一端に巻取リール６が取付けられた軸１４をベアリング１５，１５により回転自在に支持し、軸１４の別端には手回しハンドル１６が取付けられている。
【００１８】
又、軸１４には、従動プーリー９が、回転自在に嵌合され、クラッチ１７と連結ピン９ａで連結されて取付けられており、クラッチ１７は、図３に示すようにクラッチ本体１７Ａ内で軸１４にキー材１４ａで固定された爪車１７Ｂと、クラッチ本体１７Ａにピン１７Ｃで軸支された爪１７Ｄ、及び爪１７Ｄの背部をバネ１７Ｅを介在させて押付けるプッシュロッド１７Ｆからなり、爪１７Ｄの爪先が爪車１７Ｂの歯部に係合した状態となっており、クラッチ１７自体の矢印（イ方向）の回転では爪１７Ｄの爪先が爪車１７Ｂの歯部に食い込んでロックされ、軸１４の矢印（イ方向）の回転では爪１７Ｄの爪先は爪車１７Ｂの歯部の傾斜面で押されてプッシュロッド１７Ｆでバネ１７Ｅを縮めるようにしてロックが解除される。
【００１９】
前記クラッチ１７自体が矢印（イ方向）の回転でロックされるということは、クラッチ１７と連結ピン９ａで連結された従動プーリー９も同じ方向の回転ではロックされ、ベルト１０、駆動プーリー８を介して大車輪２，２の同じ方向（前方へ移動させる方向）の回転が伝達されることになり、前記軸１４が矢印（イ方向）の回転でロックが解除されるということは、軸１４の端部に取付けられた手回しハンドル１６の矢印（イ方向）の回転が自在となり、手回しハンドル１６により巻取リール６を回して同じ方向のホース巻取りができることになる。
【００２０】
巻取リール６は、軸１４の一端に取付け固定された円板６Ａと、該円板に十字状に取付けられた棒材６Ｂと、棒材６Ｂの端部を支持するリング６Ｃと、円板６Ａの中心より僅かに偏心させて突き出させた巻取棒材６Ｄ，６Ｅからなり、該巻取棒材に、略中間部で二つ折りにしたホースの折曲げ部を挿入して巻取る。
【００２１】
前記巻取リール６の前方には、図１にて示すようにホースが位置ずれなくガイドするためのガイドスタンド１８が立設されており、該ガイドスタンドは、ホースの両サイドをガイドするガイドローラー１８Ａと、下面をガイドするガイドローラー１８Ｂからなる。
【００２２】
次に、以上のようにしてなる本考案により消防ホースを巻取るについて、巻取例を示す図４において説明すると、図４の（ａ）に示すように先ず略中間部で二つ折りにした消防ホースＳをガイドローラー１８Ａ，１８Ｂにガイドさせて折曲げ部を巻取リール６の巻取棒材６Ｄ，６Ｅに挿入する。
【００２３】
次いで、手回しハンドル１６を矢印イの方向へ一回転程度回して巻初めを行い、ホースの食い付きを良くしたうえで、図４の（ｂ）に示すように前方（矢印ロ方向）へ移動させることにより、大車輪２が矢印ハの方向に回転し、巻取リール６が矢印イの方向に回転して、消防ホースＳは自然に巻取られる。巻取りが終わったら、巻取リール６の巻取棒材６Ｄ，６Ｅから抜き取る。
【産業上の利用可能性】
【００２４】
本考案は消防ホース以外の巻取りを要する長尺のホースや、帯状のシート、ベルトといった類の巻取りにも利用の可能性がある。
【図面の簡単な説明】
【００２５】
【図１】本考案の実施例を示す斜視図である。
【図２】ホース巻取り伝達例を示す要部断面図である。
【図３】クラッチの回転伝達例を示す要部断面図である。
【図４】本考案による消防ホースの巻取例を示す要部側面図である。
【符号の説明】
【００２６】
１  ベース枠台
２  大車輪
３  小車輪
４  支柱
４ａ  引張調整部材
５  手押しハンドル
６  巻取リール
６Ａ  円板
６Ｂ  棒材
６Ｃ  リング
６Ｄ，６Ｅ  巻取棒材
７  車軸
８  駆動プーリー
９  従動プーリー
９ａ  連結ピン
１０  ベルト
１１  軸ボルト
１１ａ  ナット
１２  補強板
１３  軸受ブロック
１４  軸
１４ａ  キー材
１５  ベアリング
１６  手回しハンドル
１７  クラッチ
１７Ａ  クラッチ本体
１７Ｂ  爪車
１７Ｃ  ピン
１７Ｄ  爪
１７Ｅ  バネ
１７Ｆ  プッシュロッド
１８  ガイドスタンド
１８Ａ，１８Ｂ  ガイドローラー
Ｓ  消防ホース
【図１】
0003125700.tif 000003
【図２】
0003125700.tif 000004
【図３】
0003125700.tif 000005
【図４】
0003125700.tif 000006